(57)【要約】【課題】複数の店舗等が、一体感ある商店街を形成することと、構成部材の点数を少なくして施工性を良好とし、天候等に即応して、随時電動モータを駆動し、クローズドモール又はオープンモールを形成可能な上向き屋根装置Ｒを提供する。【解決手段】屋根装置Ｒは、建築物Ｂの外壁に支持部材３、３０を介して固定され、それぞれの電動モータ４、４０に回動可能に連結された、ドラムシャフト４ｂ、４０ｂと、梁材２、２０の歩道Ｄ側に装着された固定部材５、５０に固定された左右一対からなる伸縮アーム６、７、６０、７０と、当該伸縮アーム６、７、６０、７０に配設されたコイルスプリング６ａ、７ａ、６０ａ、７０ａと、伸縮アーム６、７、６０、７０の先端に固定された横梁８、８０と、ドラムシャフト４ｂ、４０ｂと横梁８、８０に固定されたテントシート９、９０からなる。  【選択図】  図１
2008075323.tif 000002
【特許請求の範囲】
【請求項１】
歩道の両側に並設された建築物の入口に立設された柱の梁材上に設置される、上向き伸縮屋根装置において、
前記建築物の外壁に支持部材を介して固定され、それぞれの電動モータに回動可能に連結された、テントシート巻取りドラムシャフトと、
前記梁材の歩道側に装着された固定部材に固定された左右一対からなる伸縮アームと、
前記伸縮アームに配設された付与力手段と、
前記伸縮アームの先端に固定された横梁と、
基端部は、前記巻取りドラムシャフトに固定され、他端部は、前記横梁に固定されたテントシートと、
からなることを特徴とする、上向き伸縮屋根装置。
【請求項２】
前記立設された両側の柱には高低差を設けていることを特徴とする、請求項１に記載の上向き伸縮屋根装置。
【請求項３】
前記高位の柱に装着された伸縮アームを作動させる電動モータと、低位の柱に装着された伸縮アームを作動させる電動モータの始動に、時間差を設定していることを特徴とする、請求項１〜２の何れかに記載の上向き伸縮屋根装置。
【請求項４】
前記伸縮アームを固定する各固定部材には、約２０°〜３５°の上向き傾斜角度が形成されていることを特徴とする、請求項１〜３の何れかに記載の上向き伸縮屋根装置。
【請求項５】
前記歩道両側に配設された伸縮アームは、最大伸長時、少なくとも略歩道中心線上に到達すると共に、両伸縮アームの横梁は、互いに接触しないように設定されていることを特徴とする、請求項１〜４の何れかに記載の上向き伸縮屋根装置。
【請求項６】
前記左右伸縮アームの基端、中間、先端にはヒンジが取り付けられていることを特徴とする、請求項１〜５の何れかに記載の上向き伸縮屋根装置。
【請求項７】
前記付与力手段は、２本の交差するコイルスプリングであり、それぞれ前記左右伸縮アームの基端ヒンジから中間ヒンジに張設され、その付与力は、共に中間ヒンジから基端ヒンジに向けて作用していることを特徴とする、請求項１〜６の何れかに記載の上向き伸縮屋根装置。
【請求項８】
前記高位の柱に装着された横梁の先端には、風雨吹き込み防止片を垂設すると共に、低位の柱に装着された横梁の先端には、水返しが延設されていることを特徴とする、請求項１〜７の何れかに記載の上向き伸縮屋根装置。
【請求項９】
前記テントシートは、防水、防炎、耐熱加工されていることを特徴とする、請求項１〜８の何れかに記載の上向き伸縮屋根装置。
【発明の詳細な説明】
【技術分野】
【０００１】
本発明は、上向き伸縮屋根装置に係り、より詳しくは、並設された建築物、例えば複数の店舗が、一体感のある商店街となり、またその構成部材の点数を少なくして施工性を良好とし、かつ天候等に即応し、随時電動モータを駆動して、必要時は、テントシートを上向きに張設してクローズドモールを形成し、不要時には、テントシートは収納されてオープンモールが形成可能な上向き伸縮屋根装置に関する。
【背景技術】
【０００２】
近年来、建築基準法、消防法等により、防災上の見地から商店街等に新規なアーケードの設置は、原則として全面的に禁止されている。したがって、一般的に商店等は、各店舗毎に顧客又は通行人等に対する日除け、雨除け対策として各種の庇、屋根装置等を施工している。従来から、庇、屋根装置等に関する改良案が多数提案され、特に庇又はシート体等が伸縮するものとして以下の発明が開示されている。例えば、特開２００３−３０１５７７の「庇」は、日除け用シートを無端のベルト状にし内側には開口を形成することで、日光照射位置を支持腕杆の内外側方のいずれか所望方向から照射可能にし、また日除け面積の広狭を調節可能にすることを課題とし、その解決手段として、建築物の外壁から歩道方向へ突き出して並設された支持腕杆と、この隣り合う支持腕杆間に軸架された回転ローラーと、駆動ローラーと、無端のベルト状シートからなり、このベルト状シートは前記駆動ローラーの駆動により前記支持腕杆に沿って前後方向に移動可能に前記回転ローラー及び前記駆動ローラーに懸回され、かつこの懸回可能部分を有して前記ベルト状シートの内側には開口を設けてなることを特徴としている。また、特開平１１−１００９６５の「簡易屋根」は、強風によるあおり等に対しても十分に強固で、かつすっきりとした意匠を構成する簡易屋根を提供することを課題とし、その解決手段として、建物の外壁に固定され、上下方向に延在する縦枠と、基端部を前記縦枠の上端部に固定され前方に延びる垂木と、前記垂木の前端部に固定され左右方向に延在する前枠と、基端部を前記縦枠の下端部に固定されると共に前端部に前記前枠が固定され、前方に延びる妻梁材とを備え、前記妻梁材が斜め前上がりに配設され、且つ前記縦枠、前記垂木、前記前枠および前記妻梁材が、当該前枠を頂部として側面視三角形を為していることを特徴としている。さらに、特開平１０−３１７６２４の「庇」は、開口部から室内に入る日射しの量を適正にできる庇の提供を課題とし、その解決手段として、開口部の上部に設けられる庇を庇本体と可動体とを有するものとし、庇本体に対し可動体を前後進自在にして可動体の庇本体からの突出により庇張り出し量を大きくできるようにし、また、可動体の先端から日除け部材を垂下自在としたことを特徴としている。
【特許文献１】特開２００３−３０１５７７号公報
【特許文献２】特開平１１−１００９６５号公報
【特許文献３】特開平１０−３１７６２４号公報
【発明の開示】
【発明が解決しようとする課題】
【０００３】
上記特許文献１〜３は、具備している庇又はシート等を伸縮自在とした構造であるが、いずれも庇又はシート等の先端部は、歩道側に前下がり状態で展開されるため、悪天候時には、風雨の吹き込みや雨滴等により、顧客や通行人に不快感を与えている。またアーケードと異なり、顧客や通行人の頭上の空間が狭くなっているので、それらの庇、シート又は屋根等の下を通行する顧客や通行人には、重苦しい雰囲気となり、圧迫感ないし抑圧感を与えている。したがって、上記の特許文献１〜３は、いずれもショッピングモール、コミュニティ広場等には不適切な庇装置、屋根装置であると言わざるを得ない。
【０００４】
本発明が解決しようとする第１の課題は、並設された建築物、例えば複数の店舗が、一体感ある商店街が容易に形成可能な上向き伸縮屋根装置の提供で、第２の課題は、その構成部材の点数を少なくして施工性を良好とすると共に、天候等に即応して、随時電動モータを駆動し、必要時はテントシートを上向きに張設してクローズドモールを形成し、不要時には、テントシートを収納してオープンモールが形成可能な上向き伸縮屋根装置を提供することにある。
【課題を解決するための手段】
【０００５】
本発明者は、上記従来技術が有する各種の問題点に鑑み、鋭意検討を重ね、特に、建築基準法、消防法等による規制のために、商店街等にアーチ状の屋根構造は構築されていなかったことに着目して本発明を完成したもので、その最大の特徴は、歩道の両側に並設された商店街等の建造物の左右に配設されたテントシートは、それぞれ、付与力手段を具備した伸縮アームによって、常時上向きに展張されてアーチを形成してクローズドモールとなり、また当該テントシートは、電動モータにより付与力手段に逆らって上向き状態のまま巻取られ、オープンモールを形成することにある。
従来技術としては、下向きの伸縮屋根装置があったが、これは伸長時には屋根の自重によりテントシートの巻取りを緩めることにより屋根が伸長する構造となっていたため、上向きの伸縮屋根装置には、上記技術はそのまま適用できず、本発明着想の阻害要因となっていた。発明者は、上記に鑑み重力の代替に、付与力手段による付与力を導入することにより、当業者が予期し得ない本発明を想到した。
課題を解決するための手段は、本願、特許請求の範囲の各請求項に記載の発明であり、その具体的な解決手段は、以下の通りである。
【０００６】
課題を解決するための第１の発明は、請求項１に記載の発明であり、歩道の両側に並設された建築物の入口に立設された柱の梁材上に設置される、上向き伸縮屋根装置において、
前記建築物の外壁に支持部材を介して固定され、それぞれの電動モータに回動可能に連結された、テントシート巻取りドラムシャフトと、前記梁材の歩道側に装着された固定部材に固定された左右一対からなる伸縮アームと、前記伸縮アームに配設された付与力手段と、前記伸縮アームの先端に固定された横梁と、基端部は、前記巻取りドラムシャフトに固定され、他端部は、前記横梁に固定されたテントシートと、からなることを特徴としている。
【０００７】
課題を解決するための第２の発明は、請求項２に記載の発明であり、前記立設された両側の柱には高低差を設けていることを特徴としている。
【０００８】
課題を解決するための第３の発明は、請求項３に記載の発明であり、前記高位の柱に装着された伸縮アームを作動させる電動モータと、低位の柱に装着された伸縮アームを作動させる電動モータの始動に、時間差を設定していることを特徴としている。
【０００９】
課題を解決するための第４の発明は、請求項４に記載の発明であり、前記伸縮アームを固定する各固定部材には、約２０°〜３５°の上向き傾斜角度が形成されていることを特徴としている。
【００１０】
課題を解決するための第５の発明は、請求項５に記載の発明であり、前記歩道両側に配設された伸縮アームは、最大伸長時、少なくとも略歩道中心線上に到達すると共に、両伸縮アームの横梁は、互いに接触しないように設定されていることを特徴としている。
【００１１】
課題を解決するための第６の発明は、請求項６に記載の発明であり、前記左右伸縮アームの基端、中間、先端にはヒンジが取り付けられていることを特徴としている。
【００１２】
課題を解決するための第７の発明は、請求項７に記載の発明であり、前記付与力手段は、２本の交差するコイルスプリングであり、それぞれ前記左右伸縮アームの基端ヒンジから中間ヒンジに張設され、その付与力は、共に中間ヒンジから基端ヒンジに向けて作用していることを特徴としている。
【００１３】
課題を解決するための第８の発明は、請求項８に記載の発明であり、前記高位の柱に装着された横梁の先端には、風雨吹き込み防止片を垂設すると共に、低位の柱に装着された横梁の先端には、水返しが延設されていることを特徴としている。
【００１４】
上記の課題を解決するための第９の発明は、請求項９に記載の発明であり、前記テントシートは、防水、防炎、耐熱加工されていることを特徴としている。
【発明の効果】
【００１５】
本発明に係る、上向き伸縮屋根装置は、上記の特徴的構成により、以下の効果を奏する。
第１の発明によれば、上向き伸縮屋根装置を構成する部材は、テントシート巻取りドラムシャフト、左右一対からなる伸縮アーム、付与力手段、横梁及びテントシートからなるので、並設された複数の店舗が、施工態様等を同じにすれば、一体感のあるショッピングモール等が形成されるので、顧客や通行人を増加させることになり、商店街はもちろん、周辺地域の活性化につながる。またその構成部材の点数も少ないので、既存の建築物への施工性が良好となると共に、天候等に即応して、随時電動モータを駆動し、必要時はテントシートを上向きに張設してクローズドモールを形成し、不要時には、テントシートを収納してオープンモールが容易に形成できる。
【００１６】
第２及び第３の発明によれば、立設された両側の柱には高低差が設けられ、高位の柱に装着された伸縮アームを作動させる電動モータと、低位の柱に装着された伸縮アームを作動させる電動モータの始動に、時間差を設定しているので、テントシートの張設と収納は円滑に行われ、クローズドモール又はオープンモールが早急に形成でき、また既存のアーケードのように、その中央部には鉄骨部材等が残ることがないので、見映えが良好で、ショッピングモール等には好適であり、当該ショッピングモール内の各店舗における販売商品の品質は、安全に確保できる。
【００１７】
第４及び第５の発明によれば、伸縮アームを固定する各固定部材には、約２０°〜４５°の上向き傾斜角度が形成され、歩道両側に配設された伸縮アームは、最大伸長時、少なくとも略歩道中心線上に到達すると共に、両伸縮アームの横梁は、互いに接触しないように設定されているので、テントシートが張設されているとき、歩道の上方空間は、あたかもアーケードのように高くかつゆったりと形成されているので、歩道の顧客や通行人には圧迫感や抑圧感のない快適な商業環境、コミュニティ広場等を提供することができる。
【００１８】
第６及び第７の発明によれば、左右伸縮アームの基端、中間、先端にはヒンジが取り付けられ、前記付与力手段は、２本の交差するコイルスプリングであり、それぞれ前記左右伸縮アームの基端ヒンジから中間ヒンジに張設され、その付与力は、共に中間ヒンジから基端ヒンジに向けて作用しているので、巻取りドラムシャフトと横梁に固定されたテントシートの張設と収納は円滑に行われる。
【００１９】
第８及び第９の発明によれば、高位の柱に装着された横梁の先端には、風雨吹き込み防止片を垂設すると共に、低位の柱に装着された横梁の先端には、水返しが延設され、テントシートは、防水、防炎、耐熱加工されているので、雨天時に雨滴が歩道上に滴り落ちることがなく、また、強い日射しを遮蔽することができるので、顧客や通行人はショッピング等を快適に楽しむことができる。
＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊
以下、本願特許請求の範囲、本願明細書において用いる用語の解釈上の疑義を解消するべく、用語の定義又は説明をすることとする。
＊＊＊＊＊＊＊＊＊＊＊＊＊＊＊＊＊＊＊＊＊＊＊＊＊＊＊＊＊＊＊＊＊＊＊＊＊＊＊＊
○上向き伸縮屋根装置とは、複数の店舗等が、一体感ある商店街を形成することと、構成部材の点数を少なくして施工性を良好とし、天候等に即応して、随時電動モータを駆動し、クローズドモール又はオープンモールを形成可能にするように、上向きに屋根（テントシート）を伸縮する装置をいう。
○テントシート巻取りドラムシャフトとは、電テントシートをドラムに巻取り、屋根を縮めるためのものをいう。
○伸縮アームとは、上向きに屋根（テントシート）を伸張するための機構をいう。
具体的には、伸縮アームは、前記梁材の歩道側に装着された固定部材に固定された左右一対の伸縮アーム６，７，６０，７０からなる。
さらに、具体的には、伸縮アームは、中間ヒンジ、先端ヒンジ、基端ヒンジから構成される。
○付与力手段とは、スプリング等に蓄えられた付与力を伸縮アームに付与して、上向きに屋根（テントシート）を伸張する手段をいう。
○付与力とは、スプリング等に蓄えられた力をいう。
○横梁とは、建築物の外壁と平行な梁であって、伸縮アームの先端部に設けられ、テントシートを伸縮するための梁をいう。
【発明を実施するための最良の形態】
【００２０】
以下、本発明に係る、上向き伸縮屋根装置に関する最良の実施形態について、図面を参照しながら説明する。図１は、上向き伸縮屋根装置（以下、屋根装置Ｒという）におけるテントシートを最大に展張した状態を示す正面図、図２は、同一部を切欠した平面図、図３は、テントシートを展開又は収納している中途時の正面図、図４は、同一部を切欠した平面図、図５は、テントシートを最小に収納した状態を示す正面図、図６は、同一部を切欠した平面図である。
【００２１】
図において、１及び１０は柱で、２及び２０は梁材、３及び３０は支持部材、４及び４０は電動モータで、４ａ及び４０ａは回転軸で、４ｂ及び４０ｂはテントシート巻取りドラムシャフト（以下、ドラムシャフトという）、４ｃ及び４０ｃは、ドラムシャフト４ｂ及び４０ｂの軸受、５及び５０は、梁材２及び２０に固着された固定部材、６、７及び６０、７０は、固定部材５及び５０に固定された伸縮アーム、６ａ、７ａ及び６０ａ、７０ａは、コイルスプリング、８及び８０は横梁、９及び９０はテントシートである。Ｂは商店等が並設された建築物で、Ｄは歩道、Ｃは歩道Ｄの中心線である。
【００２２】
柱１及び１０は、歩道Ｄの両側に並設された建築物Ｂの入口に立設され、柱１の高さ寸法Ｈ１は、約３ｍ〜３．５ｍで、対面する低寸法Ｈ１０の柱１０より約６０ｃｍ〜９０ｃｍ高位に設定されている。梁材２及び２０は、それぞれ柱１及び１０の頂部に取り付けられている。支持部材３及び３０は、建築物Ｂの外壁に固定され、電動モータ４及び４０は、支持部材３及び３０に設置されている。電動モータ４及び４０は、テントシート９及び９０を巻き取るときにのみ駆動され、その回転軸４ａ及び４０ａは、それぞれドラムシャフト４ｂ及び４０ｂに回動可能に連結され、電動モータ４及び４０を停止させると、内蔵された制御装置で回転軸４ａ及び４０ａはその位置で停止する。また高位の柱１と梁材２上の支持部材３に固定された電動モータ４と低位の柱１０と梁材２０上の支持部材３０に固定された電動モータ４０とは、テントシート９及び９０を作動するのに際し、その始動時間に時間差が設定されている。その理由は、図１で明らかなように、高位の柱１等に装着された伸縮アーム６、７の先端部に設けられた横梁８は、低位の柱１０等に装着された伸縮アーム６０、７０の先端部に設けられた横梁８０と中心線Ｃ上で交差し、かつ両横梁８と８０を衝突することなく可動させ、所定の位置に保持するためである。
【００２３】
伸縮アーム６、７及び６０、７０は、図２等に示すように、建築物Ｂに向かって、固定部材５及び５０に、それぞれ左右に配設され、伸縮アーム６の固定部材５側には基端ヒンジ６ｂ、横梁８側には、先端ヒンジ６ｄ及びその中間部には中間ヒンジ６ｃが取り付けられている。また伸縮アーム７の固定部材５側には基端ヒンジ７ｂ、横梁８側には、先端ヒンジ８ｄ及びその中間部には中間ヒンジ８ｃが取り付けられている。同様に伸縮アーム６０の固定部材５０側には、基端ヒンジ６０ｂ、横梁８０側には、先端ヒンジ６０ｄ及びその中間部には中間ヒンジ６０ｃが取り付けられている。また伸縮アーム７０の固定部材５０側には、基端ヒンジ７０ｂ、横梁８０側には、先端ヒンジ７０ｄ及びその中間部には中間ヒンジ７０ｃが取り付けられている。コイルスプリング６ａ、７ａ及び６０ａ、７０ａは、伸縮アーム６、７及び６０、７０の付与力手段として装着されるもので、コイルスプリング６ａの一端は伸縮アーム６の中間ヒンジ６ｃに取り付けられ、その他端は伸縮アーム７の基端ヒンジ７ｂに取り付けられ、またコイルスプリング７ａの一端は伸縮アーム７の中間ヒンジ７ｃに取り付けられ、その他端は伸縮アーム６の基端ヒンジ６ｂに取り付けられ、その付与力は矢印Ｐ１、Ｐ２に示す方向に作用し、常に伸縮アーム６、７でテントシート９を上向きかつ最大に展張するように、中心線Ｃ方向に作用している。同様にコイルスプリング６０ａの一端は伸縮アーム６０の中間ヒンジ６０ｃに取り付けられ、その他端は伸縮アーム７０の基端ヒンジ７０ｂに取り付けられ、またコイルスプリング７０ａの一端は伸縮アーム７０の中間ヒンジ７０ｃに取り付けられ、その他端は伸縮アーム６０の基端ヒンジ６０ｂに取り付けられ、その付与力は矢印Ｐ１０、Ｐ２０に示す方向に作用し、常に伸縮アーム６０、７０でテントシート９０を上向きかつ最大に展張するように、中心線Ｃ方向に作用している。図１におけるθは、伸縮アーム６、７及び６０、７０の歩道Ｄの水平面に対する上向き傾斜角度で、約２０°〜３５°に設定されている。
【００２４】
高位の柱１に装着された横梁８の先端には、風雨吹き込み防止片８ａが垂設され、また低位の柱１０に装着された横梁８０の先端には、水返し８０ａが延設されている。なお１１、１２は梁材２及び２０上に配設された排水用の樋である。
【００２５】
テントシート９及び９０は、防炎性及び耐候性を有する素材例えば、ポリエステル繊維からなる不織布に、防炎性、撥水性、遮熱性等を付与するための有機フッ素化ポリマーで撥水加工した後、アクリル酸エステル樹脂とアルミニウム又は顔料との混合樹脂のコーティング加工等が施されている。
【００２６】
つぎに本発明に係る、屋根装置Ｒの可動態様について説明する。図１及び図２は、テントシート９及び９０を最大に展張して、クローズドモールとした状態で、図３及び図４は、テントシート９及び９０を展開又は収納している中途時の状態を示し、図５及び図６は、テントシート９及び９０を収納してオープンモールとした状態を示している。クローズドモールからオープンモールとするには、まず電動モータ４０を駆動させるとその回転軸４０ａは正回転（又は逆回転）し、その回転力はドラムシャフト４０ｂに連動するので、図３及び図４に示す状態を経て、テントシート９０は、伸縮アーム６０、７０のコイルスプリング６０ａ、７０ａの付与力Ｐ１０、Ｐ２０に逆らって中間ヒンジ６０ｃ、７０ｃ部位でそれぞれ外方に中折れすることに伴いながら徐々にドラムシャフト４０ｂに巻き取られる。つぎに電動モータ４を駆動させるとその回転軸４ａは正回転（又は逆回転）し、その回転力はドラムシャフト４ｂに連動するので、図３及び図４に示す状態を経て、テントシート９は、伸縮アーム６、７のコイルスプリング６ａ、７ａの付与力Ｐ１、Ｐ２に逆らって中間ヒンジ６ｃ、７ｃ部位でそれぞれ外方に中折れすることに伴いながら徐々にドラムシャフト４ｂに巻き取られ、オープンモールとなる（図５及び図６参照）。
【００２７】
オープンモールからクローズドモールとするには、まず高位の柱１側の電動モータ４の
制御装置を解除すると、ドラムシャフト４ｂは、伸縮アーム６、７のコイルスプリング６ａ、７ａの付与力Ｐ１、Ｐ２で逆回転し、図３及び図４に示す状態を経て、軒桟８を急速で上向きに押し上げ、テントシート９は展張される。つぎに低位の柱１０側の電動モータ４０の制御装置を解除すると、ドラムシャフト４０ｂは、伸縮アーム６０、７０のコイルスプリング６０ａ、７０ａの付与力Ｐ１０、Ｐ２０で逆回転し、図３及び図４に示す状態を経て、軒桟８０を急速で上向きに押し上げ、テントシート９は展張され、クローズドモールが完成される（図１及び図２参照）。
【００２８】
オープンモールは、主として例えば、四季における春秋の快適な気候の昼間時又は各店舗の夜間における非営業時等に適し、またクローズドモールは、雨天又は日射しや紫外線等が強烈なときに形成される。
【図面の簡単な説明】
【００２９】
【図１】は、本発明に係る、屋根装置Ｒにおけるテントシートを最大に展張した状態を示す正面図である。
【図２】は、同一部を切欠した平面図である。
【図３】は、テントシートを展開又は収納している中途時の正面図である。
【図４】は、同一部を切欠した平面図である。
【図５】は、テントシートを最小に収納した状態を示す正面図である。
【図６】は、同一部を切欠した平面図である。
【符号の説明】
【００３０】
Ｒ                            屋根装置
Ｂ                            建築物
Ｄ                            歩道
Ｃ                            歩道の中心線
θ                            上向き傾斜角度
１、１０                      柱
２、２０                      梁材
３、３０                      支持部材
４、４０                      電動モータ
４ａ、４０ａ                  回転軸
４ｂ、４０ｂ                  ドラムシャフト
４ｃ、４０ｃ                  軸受
５、５０                      固定部材
６、７、６０、７０            伸縮アーム
６ａ、７ａ、６０ａ、７０ａ    コイルスプリング
６ｂ、７ｂ                    基端ヒンジ
６ｃ、７ｃ                    中間ヒンジ
６ｄ、７ｄ                    先端ヒンジ
６０ｂ、７０ｂ                基端ヒンジ
６０ｃ、７０ｃ                中間ヒンジ
６０ｄ、７０ｄ                先端ヒンジ
８、８０                      横梁
９、９０                      テントシート
Ｐ１、Ｐ２、Ｐ１０、Ｐ２０    付与力
８ａ                          風雨吹き込み防止片
８０ａ                        水返し
【図１】
2008075323.tif 000003
【図２】
2008075323.tif 000004
【図３】
2008075323.tif 000005
【図４】
2008075323.tif 000006
【図５】
2008075323.tif 000007
【図６】
2008075323.tif 000008